(57)【特許請求の範囲】
【請求項１】
湯沸かしおよび保温用の内容器と、該内容器を加熱する湯沸しヒータおよび保温ヒータと、該湯沸しヒータおよび保温ヒータに電源を供給する１次側電源回路と、上記湯沸しヒータを駆動制御するリレー回路と、上記保温ヒータを駆動制御するトライアックと、上記内容器内の湯を外部に給湯する電動給湯ポンプと、該電動給湯ポンプを駆動制御する電動給湯ポンプ駆動回路と、該電動給湯ポンプ駆動回路を作動させて給湯する給湯ロック可能な給湯スイッチと、該給湯スイッチの給湯ロック状態を解除する給湯ロック解除スイッチと、上記リレー回路、電動給湯ポンプ駆動回路等に必要な駆動電源を供給する２次側電源回路とを備え、該２次側電源回路が、上記電動給湯ポンプ駆動回路の電源回路を中心とし、上記トライアックおよび上記トライアックによりＯＮ，ＯＦＦ制御される保温ヒータを利用して共通に形成されてなる電気ポットにおいて、上記２次側電源回路の電源電圧を検出する電源電圧検出回路を設け、該電源電圧検出回路により検出された上記２次側電源回路の電源電圧が所定の設定電圧を超えた場合には、上記２次側電源回路への通電を停止するようにしたことを特徴とする電気ポット。
【請求項２】
２次側電源回路の電源電圧を必要とする複数の電圧値に切り換える電源電圧切換回路を設け、該電源電圧切換回路をマイコン制御手段により切り換え作動させるようにしたことを特徴とする請求項１記載の電気ポット。
【発明の詳細な説明】
【技術分野】
【０００１】
本願発明は、電気ポットの２次側電源回路の構成に関するものである。
【背景技術】
【０００２】
電動給湯型の電気ポットの場合、湯沸しヒータ用、保温ヒータ用の１次側電源回路に加え、電磁リレーやトライアック、電動給湯ポンプ等駆動用の２次側電源回路が必要である（例えば特許文献１〜特許文献４参照）。
【０００３】
このため、従来の電気ポットの２次側電源回路では、一般に抵抗ドロップ方式による電源電圧形成回路（特許文献２参照）や電源ＩＣ方式による電源電圧形成回路（特許文献４参照）が採用されてきた。
【先行技術文献】
【特許文献】
【０００４】
【特許文献１】特開平６−１２５８４９号公報
【特許文献２】特開２００２−３００９６８号公報
【特許文献３】特開平１０−２７１６７３号公報
【特許文献４】特開平８−２８０５３９号公報
【発明の概要】
【発明が解決しようとする課題】
【０００５】
しかし、抵抗ドロップ方式によるものは、（１）分圧抵抗が電力を消費することから、流す電流値を大きくすることができず、また、リレーと給湯ポンプ等の駆動電圧が異なるため、リレー用の電源とその他電動給湯ポンプ等周辺回路用の電源とを区分し、別回路とする必要があり、部品数が増大するので、回路を小型化することができない欠点やコストアップとなる欠点がある。
【０００６】
また、（２）ジュール熱により無駄な電流を消費することに加え、電圧値調整用のツェナーダイオードに常時電流を流さなければならないために、消費電力が大きい。したがって、省エネ性にも欠ける。
【０００７】
一方、電源ＩＣ方式によるものの場合には、リレーと給湯ポンプ等の駆動電圧が異なるため、別回路とする必要があり、部品点数が増大し、また、ＩＣ回路、コイル、フォトカプラなどの高価な電気部品が必要であるため、相当に回路コストが高くなる。
【０００８】
本願発明は、このような事情に基いてなされたもので、電動給湯ポンプ駆動用の電源回路を応用し、トライアックおよび保温ヒータを利用することによって、各種電源用途に応じた２次側電源回路を共通に形成し、従来から搭載されている電動給湯ポンプ駆動用の電源回路によって２次側すべての電源を供給することができるようにし、電磁リレー用の電源と周辺回路の電源の区分や電源ＩＣやフォトカプラなどの高価な電子部品を必要とせず、安価な電子部品のみで、小型かつ低コストに構成することができるようにした電気ポットを提供することを目的とするものである。
【課題を解決するための手段】
【０００９】
本願発明は、上記の課題を解決するために、次のような有効な課題解決手段を備えて構成されている。
【００１０】
（１）  請求項１記載の発明
この発明の電気ポットは、湯沸かしおよび保温用の内容器と、該内容器を加熱する湯沸しヒータおよび保温ヒータと、該湯沸しヒータおよび保温ヒータに電源を供給する１次側電源回路と、上記湯沸しヒータを駆動制御するリレー回路と、上記保温ヒータを駆動制御するトライアックと、上記内容器内の湯を外部に給湯する電動給湯ポンプと、該電動給湯ポンプを駆動制御する電動給湯ポンプ駆動回路と、該電動給湯ポンプ駆動回路を作動させて給湯する給湯ロック可能な給湯スイッチと、該給湯スイッチの給湯ロック状態を解除する給湯ロック解除スイッチと、上記リレー回路、電動給湯ポンプ駆動回路等に必要な駆動電源を供給する２次側電源回路とを備え、該２次側電源回路が、上記電動給湯ポンプ駆動回路の電源回路を中心とし、上記トライアックおよび上記トライアックによりＯＮ，ＯＦＦ制御される保温ヒータを利用して共通に形成されてなる電気ポットにおいて、上記２次側電源回路の電源電圧を検出する電源電圧検出回路を設け、該電源電圧検出回路により検出された上記２次側電源回路の電源電圧が所定の設定電圧を超えた場合には、上記２次側電源回路への通電を停止するようにしたことを特徴としている。
このような構成によると、まず保温ヒータを駆動制御するトライアックのＯＮ，ＯＦＦを制御することによって、保温ヒータの電圧を一定にすることができ、従来から搭載されているポンプ電源回路を応用して、２次側すべての電源を供給することができるようになるので、従来の抵抗ドロップ方式のもののように、電磁リレー用の電源と周辺回路の電源とを区分したり、別電源にする必要もなく、小型化が可能である。また、ツェナーダイオードを通じて常時電流が流されるのは保温ヒータであるから、消費電流も無駄にならない。
【００１１】
また、従来の電源ＩＣ方式のもののように、電源ＩＣやフォトカプラなど高価な電子部品を必要とせず、安価な電子部品のみで構成することができ、部品点数も少なくて済むことから、回路コストが安価になるとともに、基板の小型化が可能となる。
【００１２】
しかも、同構成では、その場合において、さらに上記２次側電源回路の電源電圧を検出する電源電圧検出回路を設け、同電源電圧検出回路により検出された上記２次側電源回路の電源電圧が所定の設定電圧を超えた場合には、上記２次側電源回路への通電を停止するようにしている。
【００１３】
このように、２次側電源回路の電源電圧を検出する電源電圧検出回路を設けて、２次側電源回路の電源電圧を検出し、同検出電圧が所定電圧以上の場合には、２次側電源回路への通電状態をＯＦＦに制御するようにすると、従来の抵抗ドロップ方式のように、無駄な電力を消費しなくて済み、省エネ効果の高い電源回路となる。また、通電制御専用の電気部品等を必要とせず、コストアップや部品点数の増大を招かない。
【００１４】
（２）  請求項２記載の発明
この発明の電気ポットは、上記請求項１の発明の構成において、２次側電源回路の電源電圧を必要とする複数の電圧値に切り換える電源電圧切換回路を設け、該電源電圧切換回路をマイコン制御手段により切り換え作動させるようにしたことを特徴としている。
【００１５】
このように、マイコン制御手段からの信号によって動作する電源電圧切換回路を設け、同電源電圧切換回路によって、上記２次側電源回路の電源電圧を用途に応じて所望の電圧値に変更できるようにすると、例えば給湯ロック解除キーがＯＦＦで、給湯ロック状態にあり、電動給湯ポンプが作動していない電動給湯ポンプ非駆動時には、上記２次側電源回路の電源電圧を例えば電動給湯ポンプ以外の用途に対応した１２Ｖに設定する一方、給湯ロック解除キーがＯＮ操作された電動給湯ポンプ駆動時には同２次側電源回路の電源電圧を電動給湯ポンプの駆動に適した８Ｖに設定することができる。
【００１６】
つまり、１つの電源回路で２次側すべての用途に対応した所望の電源電圧を供給することができ、電磁リレーや電動給湯ポンプなど負荷に応じて電源電圧を自由に設定できることになる。
【発明の効果】
【００１７】
以上の結果、本願発明によると、小型、かつ低コストで、省エネ性能の高い、電気ポット用の電源回路を提供することができる。
【図面の簡単な説明】
【００１８】
【図１】本願発明の実施の形態に係る電気ポット本体部分の構成を示す側方から見た縦断面図である。
【図２】同電気ポット本体部分の平面図である。
【図３】同電気ポット本体内の電気的な制御回路図である。
【図４】同電気ポット本体内の電源回路部分の構成を示す電気回路図である。
【発明を実施するための形態】
【００１９】
以下、添付の図面を参照して、本願発明の実施の形態に係る電気ポットのポット本体部分および電源回路部分の構成と作用について詳細に説明する。
【００２０】
（ポット本体部分の構成）
先ず図１ないし図３には、同本願発明の実施の形態に係る電気ポットのポット本体部分の構成が示されている。
【００２１】
この電気ポットは、先ず図１および図２に示すように、貯湯用の内容器３を備えた容器本体１と、該容器本体１の上部側開口部を開閉する蓋体２と、上記内容器３を湯沸し時において加熱する加熱手段である湯沸しヒータ４Ａと、上記内容器３を保温時において加熱する加熱手段である保温ヒータ４Ｂと、上記内容器３内の湯を外部へ給湯するための給湯通路５と、ＡＣ電源が接続されている状態において上記給湯通路５を介して上記内容器３内の湯を外部に送り出す電動給湯ポンプ６とを備えて構成されている。
【００２２】
上記容器本体１は、外側面部を構成する合成樹脂製の筒状の外ケース７と、内側面部を構成する上記内容器３と、上記外ケース７と内容器３とを上部側で一体に結合固定する合成樹脂製の環状の肩部材８ａ，８ｂと、底面部を構成する合成樹脂製の皿状の底部材９とからなっている。
【００２３】
上記内容器３の底部３ａの下面側には、上記湯沸しヒータ４Ａと保温ヒータ４Ｂ（例えば雲母板にワット数の異なる２組の発熱体を保持させたマイカヒータよりなる）が取り付けられている。
【００２４】
上記内容器３の上端部には、給水口３ｂが開口されている。また符号１２は、上記内容器３の温度（換言すれば、内容器３内の湯の温度）を検出する湯温検出手段として作用する底センサ（湯温センサ）であり、サーミスタよりなっている。
【００２５】
上記蓋体２は、合成樹脂製の上板１４と該上板１４に対して外周縁が結合された合成樹脂製の下板１５とからなっており、上記肩部材８ａ，８ｂの後部に設けられたヒンジ受け１６に対してヒンジピン１７を介して上下方向に開閉自在且つ着脱自在に支持されている。
【００２６】
上記蓋体２における下板１５の下面には、金属製の内カバー部材２３が固定されており、該内カバー部材２３の外周縁には、上記蓋体２の閉蓋時において上記内容器３の給水口３ｂの上面に圧接される耐熱ラバー製のシールパッキン２４が設けられている。
【００２７】
上記給湯通路５の上流端側である上記内容器３の下部位置には、内容器３側湯導入筒６ａ、給湯ポンプ側湯吸入口６ｂを介して直流型の電動給湯ポンプ６が配設されており、この給湯通路５においては上記湯導入筒６ａを介して湯吸入口６ｂより吸入された湯が当該電動給湯ポンプ６のポンピング作用により、その吐出口６ｃから吐出され、同給湯通路５の直管部５ｂを経て、外部への湯注出口５ｃに導かれる。
【００２８】
さらに、符号３５は、後述する各種スイッチ類の操作面や液晶表示部の表示面を備えた操作パネル部、５１ａは、マイコン制御部６０や各種スイッチ類３８〜４１、液晶表示部４７等を備えたマイコン基板、５１は、液晶表示部４７の支持部材、５０は、上記電動給湯ポンプ６の駆動回路や湯沸しヒータ４Ａ、保温ヒータ４Ｂの加熱制御回路、安定化直流電源回路等を備えた電源基板である。
【００２９】
上記操作パネル部３５には、給湯スイッチ３８、給湯ロック解除スイッチ３９、再沸騰／保温選択スイッチ４０、おやすみタイマースイッチ４１、再沸騰表示用ＬＥＤ４４、保温動作表示用ＬＥＤ４５、給湯ロック解除表示用ＬＥＤ４６、液晶表示部４７等が設けられている。
【００３０】
上記液晶表示部４７には、例えば時刻／時間／湯温／作動状態等兼用表示部４７ａ、保温設定温度表示部４７ｂ、まほうびん保温表示部４７ｃが設けられており、各種の便利な情報表示がなされるようになっている。
【００３１】
（制御回路部の構成）
次に図４は、上記構成の電気ポット本体における制御回路部の構成の概略を示すブロック図である。
【００３２】
図４中、先ず符号５７は、マイコン制御部（マイコン制御ユニット）６０および加熱制御部５４、ポンプ電源部５９等に直流電源を供給する直流安定化電源部、また５４は、湯沸しヒータ４Ａ作動用の電源スイッチ、同電源スイッチ駆動用の電源リレー、保温ヒータ４Ｂ作動用のトライアック、同トライアック駆動用のトランジスタなどよりなる加熱制御部、４Ａ，４Ｂは、上述した湯沸しヒータ４Ａ、保温ヒータ４Ｂよりなる加熱手段、５９は、上記電動給湯ポンプ６のポンプ電源部、３８は、上述の給湯スイッチ、６は、上述の直流型の電動給湯ポンプである。
【００３３】
上記湯沸しヒータ４Ａは、例えば上記マイコン制御部６０から湯沸しヒータＯＮ信号が出力されると、上記加熱制御部５４中のトランジスタ（図５のＴＲ２）を介して電源リレーのリレーコイル（図５のＲＬ）が励磁され、それに対応して電源スイッチ（図５のリレースイッチＲＳ）がＯＮになることにより、駆動される。
【００３４】
また、上記保温ヒータ４Ｂは、上記マイコン制御部６０から、保温ヒータＯＮ信号が出力されると、上記加熱制御部５４のトライアックがトリガー（図５の５３）されて駆動される。
【００３５】
さらに、上記電動給湯ポンプ６は、上記給湯スイッチ３８がＯＮ操作されると、マイコン制御部６０に同給湯スイッチ３８のＯＮ信号が入力され、それに応じて上記マイコン制御部６０から所定のデューティー比のパルス電圧信号が出力されて、そのポンプ電源部５９を介して所定の電源電圧値（８Ｖ）で、かつ当該所定のデューティー比で適切に回転駆動される。
【００３６】
また、上記マイコン制御部６０には、安定化直流電源部５７の定電圧電源部を介して所定の定電圧（１２Ｖ）が供給されている。
【００３７】
さらに、上記マイコン制御部６０には、液晶表示部４７、再沸騰表示用ＬＥＤ４４、保温動作表示用ＬＥＤ４５、給湯ロック解除表示用ＬＥＤ４６等の各種表示部や給湯スイッチ３８、再沸騰／保温選択スイッチ４０、給湯ロック解除スイッチ３９、おやすみタイマースイッチ４１等の各種操作部や温度検知手段１２等が、各々入出力ポートを介して接続されている。
【００３８】
（電源回路の構成）
次に図５は、上記電気ポットの２次側電源回路の詳細な構成を示している。
【００３９】
従来の電気ポットの２次側電源回路は、すでに述べたように抵抗ドロップ方式による電源電圧形成回路や電源ＩＣ方式による電源電圧形成回路が採用されてきた。
【００４０】
しかし、抵抗ドロップ方式によるものは、（１）抵抗値のために電流を消費することから、電流値を大きくすることができず、電磁リレー用の電源と周辺回路用の電源とを区分する必要があり、電源回路を小型化することができない。
【００４１】
また、（２）ジュール熱により無駄な電流を消費することに加え、電圧調整用のツェナーダイオードに常時電流を流さなければならないために、消費電力が大きい。
【００４２】
さらに、（３）電磁リレー（１２Ｖ）と給湯ポンプ（８Ｖ）と駆動電圧が異なるため、別電源とする必要があり、部品点数が増大し、コストアップとなる。
【００４３】
電源ＩＣ方式によるものの場合には、上記（１），（２）の問題は解決されるものの、（３）の問題は同様である。また、ＩＣ回路、コイル、フォトカプラなどの高価な電気部品が必要であるため、相当に回路コストが高くなる。
【００４４】
そこで、本実施の形態では、図５に示すように、トライアック５３と保温ヒータ４Ｂを組み合わせて２次側電源回路を構成し、トライアック５３のオン・オフ状態をマイコン制御ユニット６０により制御することにより、保温ヒータ４Ｂの電圧を一定にするようにしている。そして、それにより、従来からポンプ電源回路として搭載されている電源回路によって２次側すべての電源（１２Ｖ／８Ｖ）を供給することができるようにすることによって、上述した電源ＩＣやフォトカプラなど高価な電子部品を必要とせず、安価な電子部品のみで、小型かつ低コストに構成することができるようにしている。
【００４５】
以下、図５の電源回路の構成について、詳細に説明する。
【００４６】
図中、先ず符号５２はＡＣ電源、４Ａは湯沸しヒータ、ＲＬは湯沸しヒータ４Ａ駆動用電磁リレーのリレースイッチ（上述の電源スイッチであるが、以下の説明では、その機能を分りやすくするために、リレースイッチと称することにする）ＲＳをＯＮまたはＯＦＦ作動させる電磁リレーのリレーコイル、ＴＲ２は同リレーコイルＲＬに電源電流を流して励磁作動させるためのスイッチングトランジスタ、Ｄ２は同リレーコイルＲＬに並列に接続された逆流防止用のバイパスダイオードであり、上記スイッチングトランジスタＴＲ２のベースは、前述したマイコン制御部６０の湯沸しヒータ駆動信号出力ポートＭ２に接続されているる
したがって、マイコン制御部６０の湯沸しヒータ駆動信号出力ポートＭ２から、湯沸しヒータ駆動信号（ローエッジトリガー信号）が出力されると、上記スイッチングトランジスタＴＲ２がＯＮになって、リレーコイルＲＬが励磁され、リレースイッチＲＳを閉作動させるので、湯沸しヒータ４Ａに電源ラインＬ１からの電源電流が流される。
【００４７】
また、符号４Ｂは保温ヒータ、５３は保温ヒータ４Ｂに電源電流を流して駆動するトライアックであり、このトライアック５３のゲート端子は、抵抗Ｒ３を介してマイコン制御部６０の保温ヒータ駆動信号出力ポートＭ３に接続されている。そして、トライアック５３は同マイコン制御部６０から保温ヒータ駆動信号が出力されると、トリガーされて保温ヒータ４Ｂに電源ラインＬ１からの電源電流を流す。
【００４８】
また、上記トライアック５３のゲート端子は、抵抗Ｒ４、トランジスタＴＲ５，ＴＲ６を介してグランドラインＬ２に接続されている一方、トランジスタＴＲ５のベースには、抵抗Ｒ５，Ｒ６よりなる第１の電源電圧分圧回路が接続されている。そして、同第１の電源電圧分圧回路の抵抗Ｒ５とＲ６間（分圧点）は、抵抗Ｒ７、トランジスタＴＲ３を介して電源ラインＬ１に接続され、またトランジスタＴＲ３のベースは、マイコン制御部６０の電源電圧切換信号出力ポートＭ４に接続されている。
【００４９】
すなわち、マイコン制御部６０のマイコンは、上述した電動給湯ポンプ６がＯＦＦの時は、同出力ポートＭ４の出力信号をＨ信号にすることによって、上記トランジスタＴＲ３をＯＦＦにし、電源電圧を、電動給湯ポンプ駆動以外の、例えば電磁リレー等の駆動に適した１２（Ｖ）に設定する一方、電動給湯ポンプ６がＯＮの時は、同出力ポートＭ４の出力信号をＬ信号にすることによって、トランジスタＴＲ３をＯＮにし、電源電圧を電動給湯ポンプ６の駆動に適した８（Ｖ）に設定する。
【００５０】
この電源電圧の切り換えは、上述した給湯ロック解除キー３９のＯＮまたはＯＦＦ状態に対応して行う。つまり、給湯ロック状態では１２（Ｖ）に、他方、同給湯ロック状態が解除されて電動給湯ポンプ６の駆動が可能な時は、電動給湯ポンプ６の駆動に適した８（Ｖ）に設定する。
【００５１】
一方、グランドラインＬ２とグランドラインＬ３の間に配設されたトランジスタＴＲ６のベースには、トランジスタ（ＰＮＰ）ＴＲ７の出力側が接続されている。また、トランジスタＴＲ７のベースには、トランジスタＴＲ４の出力側が接続されており、さらにトランジスタＴＲ４のベースは、上記マイコン制御部６０の電流制御信号出力ポートＭ５に接続されている。
【００５２】
さらに、上記電源ラインＬ１とグランドラインＬ３との間には、抵抗Ｒ１１とＲ１２の直列回路よりなる電源電圧分圧回路が設けられており、この電源電圧分圧回路の抵抗Ｒ１１とＲ１２間の中点は、上記マイコン制御部６０の２次側電源電圧検出ポートＭ６に接続されている。これにより、上記マイコン制御部６０のマイコンは、抵抗Ｒ１１とＲ１２によって分圧された分圧値をパラメータとして、２次側電源回路の電源電圧値を検出する。
【００５３】
そして、上記マイコン制御部６０のマイコンは、上記のように電動給湯ポンプ６が給湯ロック状態で、設定された電源電圧が１２（Ｖ）である時は、上記電圧検出値に応じて上記トランジスタＴＲ６をＯＮ−ＯＦＦ制御して、流れる電流値を制限することによって、省エネ化を図る。
【００５４】
また、符号Ｃ１，Ｃ２は充放電可能な平滑コンデンサであり、それらの間にはツェナーダイオードＺＤおよび抵抗Ｒ１３、トランジスタＴＲ８よりなる３つ目の回路が設けられており、上記マイコン制御ユニット６０のマイコンにマイコン駆動用の５（Ｖ）電源を供給する。
【００５５】
一方、符号ＴＲ１は、電動給湯ポンプ６駆動用のトランジスタであり、そのベース側は、抵抗Ｒ１を介して電源ラインＬ１に、また抵抗Ｒ２を介してマイコン制御部６０のポンプ駆動信号出力ポートＭ１に接続されている。そして、上記給湯ロック解除状態において給湯スイッチ３８を押すことにより、上記マイコン制御部６０のマイコンから電動給湯ポンプ駆動信号が出力され、上記電動給湯ポンプ駆動用のトランジスタＴＲ１がＯＮになると、電動給湯ポンプ６が駆動されて、上述した内容器内の湯が注出される。なお、Ｄ１は逆流防止ダイオードである。
【００５６】
以上の実施の形態では、トライアック５３と保温ヒータ４Ｂで電源回路を構成し、トライアック５３のオン・オフ状態を制御することによって、保温ヒータ４Ｂの電圧を一定にするようにしている。これにより、従来から搭載されているポンプ電源回路を応用して、電磁リレー（リレーコイルＲＬ）、電動給湯ポンプ６、その他周辺回路の２次側すべての電源を供給することができるようになるので、従来の抵抗ドロップ方式のもののように、電磁リレー（ＲＬ）用の電源と周辺回路の電源とを区分したり、別電源にする必要もなく、小型化が可能である。また、ツェナーダイオードＺＤを通じて常時電流が流されるのは保温ヒータ４Ｂであるから、消費電流も無駄にならない。
【００５７】
また、従来の電源ＩＣ方式のもののように、電源ＩＣやフォトカプラなど高価な電子部品を必要とせず、抵抗およびトランジスタのみの安価な電子部品のみで構成することができ、部品点数も少なくて済むことから、回路コストが安価になるとともに、基板の小型化が可能となる。
【００５８】
また、同実施の形態では、その場合において、マイコン制御部６０により、同２次側の電源電圧（抵抗Ｒ１２両端の電圧）を検出し、同検出電圧が所定電圧（１２Ｖ）以上の場合（コンデンサＣ１が１２Ｖにチャージアップした場合）には、マイコン制御部６０（Ｍ５）により当該２次側電源回路への通電状態をＯＦＦ（トランジスタＴＲ４をＯＦＦ）に制御するようにしている。
【００５９】
したがって、従来の抵抗ドロップ方式のように、無駄な電力を消費しなくて済み省エネ効果の高い電源回路となる。また、通電制御専用の電気部品等を必要とせず、コストアップや部品点数の増大を招かない。
【００６０】
さらに、同実施の形態では、それらの場合において、上記マイコン制御部６０からの信号によって動作する電源電圧切替回路（トランジスタＴＲ３、ＴＲ５、ＴＲ６、抵抗Ｒ４、Ｒ５、Ｒ６、Ｒ７よりなる）を設け、同回路をマイコン制御部６０（出力ポートＭ４）により作動させることによって電源電圧を用途に応じて所望の電圧値に変更するようにしている。
【００６１】
例えば給湯ロック解除キー３９がＯＮ操作されていない電動給湯ポンプ６非駆動時には、電源電圧を電磁リレー（ＲＬ）の制御に適した１２Ｖに設定する一方、給湯ロック解除キー３９がＯＮ操作された電動給湯ポンプ６が駆動可能な時には、電源電圧を電動給湯ポンプ６の駆動に適した８Ｖに設定することができる。つまり、１つの電源回路で２次側すべての用途に対応した電源電圧（１２Ｖ／８Ｖ）を供給することができ、電磁リレー（ＲＬ）や電動給湯ポンプ６など負荷に応じて電源電圧を自由に設定できることになる。
【００６２】
しかも、この電源電圧の切替は、上記のように給湯ロック解除キー３９の操作状態（マイコン制御部６０の出力ポートＭ４からの信号）に応じてなされるようになっており、例えば給湯ロック解除キー３９がＯＮ操作されていない給湯ロック状態では、上記１２（Ｖ）の値に維持されているが、同給湯ロック解除キー３９がＯＮ操作されて、その操作信号が入力されると、その時点で直ちに電源電圧が上記１２（Ｖ）の値から、電動給湯ポンプ６駆動用の８（Ｖ）に切り替えられる。
【００６３】
つまり、実際に給湯キー３８が押される前に予じめ電源電圧を電動給湯ポンプ６駆動用の電圧に変更することが可能となる。
【００６４】
この結果、給湯キー３８を押したときには、すぐに電動給湯ポンプ６を駆動することができ、動作の遅れを感じさせなくて済む。
【００６５】
さらに、また本実施の形態では、図５の回路から分るように、以上のように電源電圧の切替を可能にした場合において、何の電源電圧に切り換えられた場合にも、すべての電源電流が保温ヒータ４Ｂを介して流されるようになっている。
【００６６】
したがって、消費電流の全てが保温ヒータ４Ｂの発熱に有効に活用されることになり、省エネ性能の向上につながる。
【００６７】
さらに、また従来の構成では、湯沸し中に給湯することができたが、そのようにすると、湯が飛び散り易く、キャビテーションが発生する。
【００６８】
そこで、本実施の形態では、湯沸し中に給湯ロック解除キー３９が押された場合には、以下のような動作を行わせる。
【００６９】
（１）  湯沸しヒータ４ＡへのリレースイッチＲＳをオフにし、ロックを解除する。
【００７０】
（２）  湯温が沸騰近傍なら保温へ移行させる一方、湯温が低い場合にはロックを解除させない。
【符号の説明】
【００７１】
１は容器本体、３は内容器、４Ａは湯沸しヒータ、４Ｂは保温ヒータ、６は電動給湯ポンプ、５２はＡＣ電源、５３はトライアック、６０はマイコン制御部、ＴＲ１〜ＴＲ８はトランジスタ、Ｒ１〜Ｒ１３は抵抗である。
【図１】
0005625501.tif 000002
【図２】
0005625501.tif 000003
【図３】
0005625501.tif 000004
【図４】
0005625501.tif 000005